(57)【特許請求の範囲】
【請求項１】
棟方向に長い半中空体形状をもち、段差部のある内曲げ部が棟方向に直交する断面の下部に形成された化粧瓦棒の前記内曲げ部から棟方向に突出した差込片が軒先側金属屋根板と棟側金属屋根板との間の連結部に差し込まれている化粧瓦棒取付け構造。
【請求項２】
一枚の金属板から切出された金属切板を折り曲げ加工して成形される請求項１記載の取付け構造に用いられる化粧瓦棒。
【発明の詳細な説明】
【０００１】
【産業上の利用分野】
本発明は、金属屋根板を用いた横葺き屋根に取付けて建築物にアクセントをもたせる化粧瓦棒に関する。
【０００２】
【従来の技術】
金属屋根は、比較的軽量であるため下地の骨組み構造体に加わる負荷が小さく、釘やビスを使用して簡単に結合できることから、一般家屋，公共施設等の各種建築物で使用されている。
金属屋根を用いる屋根葺では、所定のサイズに成形された単位屋根板を使用することから横葺き工法が多用されている。横葺き工法では、図１に示すように軒先側の金属屋根板１を野地板２に釘，ビス，ボルト等で固定した後、軒先側金属屋根板１の棟側にある係止突起１ａに棟側金属屋根板１の係止凹部１ｂを噛み合わせて軒先側金属屋根板１に連結した棟側金属屋根板１を野地板２に固着する。以下、同様な作業で軒先から棟側に向けて金属屋根板１を敷設する。
横葺きしたままの金属屋根板１は、屋根一面にフラットな状態で敷き詰められているため、看者に与える印象が弱い。そこで、最近では、横葺き屋根に軒先から棟方向に延びる化粧瓦棒３を取付け、屋根にアクセントを付ける。本発明者等も、化粧瓦棒を取付けた横葺き屋根を開発しており、その一部を特開平９−１９５４５０号公報，特開平９−３２４５０６号公報等で紹介した。
【０００３】
横葺きした金属屋根板１は横方向に平坦な表面となるため、化粧瓦棒３の取付けには図２に示すような取付け金具４が使用される。
取付け金具４は、軒先側金属屋根板１と棟側金属屋根板１との連結部に挿し込まれる舌片４ａを備えている。舌片４ａと反対側で押え片４ｂが立ち上げられている。舌片４ａにボルト４ｅが固着され、ボルト孔を貫通して突出するボルト４ｅの先端にナット４ｆがねじ込まれている。ナット４ｆを締め付けると、押え片４ｂは弾性変形して舌片４ａに接近する。取付け金具４には左右にリベット孔４ｃが形成されている。
【０００４】
取付け金具４は、図４に示すように軒先側金属屋根板１と棟側金属屋根板１との連結部の隙間に舌片４ａが挿し込まれる。舌片４ａを挿し込んだ後、ボルト４ｅにナット４ｆをねじ込み、棟側金属屋根板１の軒先側端部を舌片４ａと押え片４ｂとの間に挟み込むことにより、取付け金具４が固着される。
一方、化粧瓦棒３は、金属板を図３に示すように、断面がほぼ半円形をしており、内側に折り曲げられた内曲げ部３ｂは金属屋根板１,１の段差に合うように段差部３ｃが付けられる。
次いで、取付け金具４に覆い被さるように、化粧瓦棒３をあてがい、化粧瓦棒３の左右に形成されているリベット孔３ａに取付け金具４のリベット孔４ｃを位置合せし、取付け金具４の左右のリベット孔４ｃに化粧瓦棒３をリベット止めし、金属屋根板１,１全体に化粧瓦棒３が隙間のないように取付けられる。
【０００５】
【発明が解決しようとする課題】
以上のような従来の化粧瓦棒３は、取付け金具４によって固定されるため、金属屋根板１,１の連結部ごとに取付け金具４が必要になる。このため、材料費や工数が嵩むばかりか、屋根全体が重くなり、軽くて丈夫であるはずの金属屋根のメリットを多少でも損ねることになる。逆に、取付け金具４の設置数を少なくすると、風圧等に対する強度が低くなり、取付け金具４,４の中間部で化粧瓦棒３、ひいては取付け金具４も浮き上がり易くなる。化粧瓦棒３や取付け金具４の浮き上がりによって金属屋根板１と化粧瓦棒３との間の隙間が大きくなると、見栄えが悪くなることは勿論、中空状になっている化粧瓦棒３の内部に吹き込まれた空気によって化粧瓦棒３が金属屋根板１から外れる虞れがある。
【０００６】
【課題を解決するための手段】
本発明は、このような問題を解消すべく案出されたものであり、取付け金具による化粧瓦棒の金属屋根板への取付け位置を最小限にしても、取付け強度を損なうことのない化粧瓦棒の取付け構造を提供することを目的とする。
本発明の化粧瓦棒取付け構造は、その目的を達成するため、棟方向に長い半中空体形状をもち、段差部のある内曲げ部が棟方向に直交する断面の下部に形成された化粧瓦棒の前記内曲げ部から棟方向に突出した差込片が軒先側金属屋根板と棟側金属屋根板との間の連結部に差し込まれている。
この取付け構造に用いられる化粧瓦棒は、一枚の金属板から切出された金属切板を折り曲げ加工して成形することができる。
【０００７】
【実施の形態】
本発明に従った取付け構造に用いられる化粧瓦棒１０は、例えば図５のような形状をもち、金属切板から半筒状に成形される。
具体的には、横葺きした金属屋根板の棟方向実効長さに一致する長さＷで複数の内曲げ部１１，１１を底面にもつ半中空体に成形され、各内曲げ部１１，１１の間に金属屋根板の軒先側端部の高さｈに一致する段差部1５となっており、各内曲げ部１１，１１は該段差部１５の部分で軒先方向に延長されて差込片１４となっている化粧瓦棒１０が使用される。軒先側中空体側壁部分には軒先側端部近傍及び棟側端部近傍又はその間の適宜の位置でリベット挿通孔１２が穿設されている。
【０００８】
この化粧瓦棒１０を、図１のような横葺きした金属屋根板の係止凹部１ｂにできる段差部分より少し軒側に化粧瓦棒の段差部１５を位置合せし、さらに差込片１４が棟側の係止凹部１ｂと軒側の屋根板１との間の連結部に差込まれるように化粧瓦棒１０を棟側に押上げて取付けられる（図７）。化粧瓦棒１０は各段差部で金属屋根に固定されるが、このままでは重力で軒側方向にずれる為、何らかの手段でズレを防止する。例えば、化粧瓦棒１０全長に亘る各係止凹部１ｂ，１ｂの段差のうち２ヶ所以上（図７では３段目毎）に、従来から用いられる取付け金具４を適宜取付け、リベット挿通孔１２を介して化粧瓦棒１０が押上げられた状態で固定される。
【０００９】
本発明に従った化粧瓦棒１０は、金属板１６を図６（ａ）に示すように、段差部１５の線から差込片１４が棟側に突出するような形状に切出し、製造される。切出された金属板１６は、折り曲げ線ＢＬに沿って折り曲げられる（ｂ）と差込片１４が内曲げ部１１から棟方向に突出して形成される。次いで、金属板１６を内曲げ部１１が曲げられた方向に円筒状に曲げ、図５（ａ）のように内曲げ部１１から延長して差込片１４が棟側に突出している化粧瓦棒１０が形成される。この為、新たな部品を必要とせず、切出される金属板１６の形状を図６（ａ）のようにすることで折曲げ加工により容易に実施できる。
また、化粧瓦棒１０が押上げられた状態で仮止めされる為、取付け金具４を取付ける等のズレ防止の施工処理をする際でも、リベット止め作業がしやすくなる。
以上では、断面半円状の化粧瓦棒を以って説明したが断面矩形や５角形の化粧瓦棒についても実施可能であることはいうまでもない。
【００１０】
【発明の効果】
以上に説明したように、本発明の横葺き屋根用化粧瓦棒取付け構造においては、化粧瓦棒下端の段差部で内曲げ部から延長して棟側に向かって突出して形成された差込片が、軒先側金属屋根板と棟側金属屋根板との間の連結部に挿し込まれる。この為、風圧等に対する取付け強度を保ちながら取付け金具の使用数を少なくできるため、施工が容易となり、コストの軽減,金属屋根の軽量化が可能となる。
【図面の簡単な説明】
【図１】  金属屋根板を横葺きした屋根に取付けた化粧瓦棒
【図２】  化粧瓦棒用取付け金具
【図３】  従来の化粧瓦棒の斜視図（ａ）及び反転斜視図（ｂ）
【図４】  取付け金具に化粧瓦棒を取付けた図
【図５】  本発明に従った取付け構造に用いられる化粧瓦棒の斜視図（ａ）及び反転斜視図（ｂ）
【図６】  本発明に従った化粧瓦棒の展開図（ａ）及び折り曲げた図（ｂ）
【図７】  本発明に従った化粧瓦棒の取付け構造
【符号の説明】
１：金属屋根板    ４：取付け金具
１０：化粧瓦棒    １１：内曲げ部    １２：リベット挿通孔    １３：円筒状部    １４：差込片    １５：段差部    １６：金属板
ｈ：隣り合う内曲げ部５１，５１間の段差
Ｗ：金属屋根板１の棟方向実効長さ
ＢＬ：折り曲げ線
【図１】
0004380869.tif 000002
【図２】
0004380869.tif 000003
【図３】
0004380869.tif 000004
【図４】
0004380869.tif 000005
【図５】
0004380869.tif 000006
【図６】
0004380869.tif 000007
【図７】
0004380869.tif 000008